(57)【要約】【課題】広いスペースを確保して、多数の商品を一度に注文できるとともに、返信封筒を利用するほか、ファアクシミリ送信でも注文可能な申込書を備えたカタログ冊子及びその作成方法を提供する。【解決手段】カタログ冊子３１は、表表紙２と裏表紙３を折り用ミシン目５を介して連接し、裏表紙３に折り兼切り用ミシン目６を介して申込書４を連接してなる表紙用紙１を備え、この表紙用紙１の表出面には、表表紙２に宛名人情報を表示し、裏表紙３に差出人情報を表示する一方、重ね合わせ面には、申込書４に申込商品情報記入部と申込者情報記入部とを設け、さらに重ね合わせ面側に、表表紙２と裏表紙３に対応する大きさで商品情報を表示した２枚のカタログ用紙１７，１８を重ね合わせて、折り用ミシン目５位置で、返信用封筒部２２を有する返信用封筒用紙２１とともに綴じ込んだものである。【選択図】      図５
2004291592.tif 000002
【特許請求の範囲】
【請求項１】
表表紙と裏表紙を折り部を介して連接し、これら表表紙と裏表紙のいずれか一方側に折り兼切り部を介して申込書を連接してなる表紙用紙を備え、この表紙用紙の表出面には、前記表表紙に宛名人情報を表示し、前記裏表紙に差出人情報を表示する一方、表出面とは反対面側である重ね合わせ面には、前記申込書に申込商品情報記入部と申込者情報記入部とを設け、さらに前記重ね合わせ面側に、前記表表紙と前記裏表紙に対応する大きさで商品情報を表示したカタログ用紙を適宜枚数重ね合わせて、前記表表紙と前記裏表紙の境において綴じ合わせるとともに、返信用封筒を適所に綴じ込んだことを特徴とするカタログ冊子。
【請求項２】
表表紙と裏表紙を折り部を介して連接し、これら表表紙と裏表紙のいずれか一方側に折り兼切り部を介して申込書を連接してなる表紙用紙の表出面に、前記表表紙には宛名人情報を、前記裏表紙には差出人情報を、印刷あるいは印字する一方、表出面とは反対面側である重ね合わせ面には、前記申込書に申込商品情報記入部と申込者情報記入部とを印刷しあるいは印字したうえ、前記表紙用紙の重ね合わせ面側に、前記表表紙と前記裏表紙に対応する大きさで商品情報を印刷した適宜枚数のカタログ用紙を、前記表表紙と前記裏表紙に対応位置するよう重ね合わせて、前記表表紙と前記裏表紙の境において綴じ合わせ、このカタログ用紙とともに、またはこのカタログ用紙とは別途に、切り取り部を境に返信用封筒と綴じ合わせ片とを設けてなる返信用封筒用紙を、前記綴じ合わせ片において前記表紙用紙またはカタログ用紙の少なくとも一方に綴じ合わせることを特徴とするカタログ冊子の作成方法。
【発明の詳細な説明】
【０００１】
【発明の属する技術分野】
本発明は、カタログ冊子及びその作成方法に関し、特に、各種商品の購入申込をカタログを見て行うための申込書を備えたカタログ冊子及びその作成方法に関する。
【０００２】
【従来の技術】
従来から、この種の申込書を備えたカタログ冊子は知られているが、申込書は葉書として構成されている（例えば、特許文献１参照）。
【０００３】
【特許文献１】
実用新案登録第２５８７３１４号公報
【０００４】
【発明が解決しようとする課題】
このため従来においては、葉書という狭いスペースしかないため、注文する商品の数が限られてしまい、必要に応じて複数の葉書を設けなければならないという不都合がある。本発明はこのような従来の不都合を解消した申込書を備えたカタログ冊子及びその作成方法を提供することを目的とする。
【０００５】
【課題を解決するための手段】
上述した目的を達成するために、本発明の請求項１に記載したカタログ冊子は、表表紙と裏表紙を折り部を介して連接し、これら表表紙と裏表紙のいずれか一方側に折り兼切り部を介して申込書を連接してなる表紙用紙を備え、この表紙用紙の表出面には、前記表表紙に宛名人情報を表示し、前記裏表紙に差出人情報を表示する一方、表出面とは反対面側である重ね合わせ面には、前記申込書に申込商品情報記入部と申込者情報記入部とを設け、さらに前記重ね合わせ面側に、前記表表紙と前記裏表紙に対応する大きさで商品情報を表示したカタログ用紙を適宜枚数重ね合わせて、前記表表紙と前記裏表紙の境において綴じ合わせるとともに、返信用封筒を適所に綴じ込んだものである。前記返信用封筒には切り取り部を介して綴じ合わせ片を連接しておくとよい。
【０００６】
また、本発明の請求項２に記載したカタログ冊子の作成方法は、表表紙と裏表紙を折り部を介して連接し、これら表表紙と裏表紙のいずれか一方側に折り兼切り部を介して申込書を連接してなる表紙用紙の表出面に、前記表表紙には宛名人情報を、前記裏表紙には差出人情報を、印刷あるいは印字する一方、表出面とは反対面側である重ね合わせ面には、前記申込書に申込商品情報記入部と申込者情報記入部とを印刷しあるいは印字したうえ、前記表紙用紙の重ね合わせ面側に、前記表表紙と前記裏表紙に対応する大きさで商品情報を印刷した適宜枚数のカタログ用紙を、前記表表紙と前記裏表紙に対応位置するよう重ね合わせて、前記表表紙と前記裏表紙の境において綴じ合わせ、このカタログ用紙とともに、またはこのカタログ用紙とは別途に、切り取り部を境に返信用封筒と綴じ合わせ片とを設けてなる返信用封筒用紙を、前記綴じ合わせ片において前記表紙用紙またはカタログ用紙の少なくとも一方に綴じ合わせるものである。
【０００７】
【発明の実施形態】
以下、本発明の好適な実施形態を添付図面に基づき詳細に説明する。ここにおいて、図１は表紙用紙の表出面側の概略的な平面図、図２は同じく重ね合わせ面側の概略的な平面図、図３は返信用封筒用紙の平面図、図４はカタログ冊子の重ね合わせ面側の概略的な平面図、図５はカタログ冊子の断面図、図６は折り畳み状態のカタログ冊子の概略的な断面図、図７は折り畳み状態のカタログ冊子を窓開き封筒に封入した状態の概略的な平面図である。
【０００８】
図４〜図６に示すように、カタログ冊子３１は、表表紙２と裏表紙３を折り用ミシン目５を介して連接し、前記裏表紙３には折り兼切り用ミシン目６を介して申込書４を連接してなる表紙用紙１と、返信用封筒部２２と綴じ合わせ片２３とを切り用ミシン目２４を境に連接してなる返信用封筒用紙２１と、２枚のカタログ用紙１７，１８とを、後述する仮想線Ｓ位置においてステープル２６，２７止めしてなる。
【０００９】
図１及び図２では明らかでないが、表紙用紙１の表表紙２と裏表紙３とは同一幅で、申込書４はこれら表表紙２と裏表紙３よりもやや幅狭に形成している。図１に示す表紙用紙１の表出面には、前記表表紙２にカタログ冊子３１の宛先の住所、氏名を示す宛名人情報７を印字し、前記裏表紙３には前記カタログ冊子３１の差出人の住所、名称を示す差出人情報８を印刷し、前記申込書４には宛名人に対する個別の案内文９を宛名人名１０とともに印字している。
【００１０】
一方、図２に示す表紙用紙１の表出面とは反対面側である重ね合わせ面には、申込書４に「申込書」という表題１１とともに商品番号記入欄と個数記入欄と金額記入欄とからなる申込商品情報記入部１２と申込者情報記入部である申込者名記入欄１３と申込年月日記入欄１４とを設けている。また、前記表紙用紙１の重ね合わせ面には、表表紙２に新商品案内情報１５を表題とともに印刷し、裏表紙３に買い得商品案内情報１６を表題とともに印刷している。
【００１１】
そして、図４及び図５に示すように、表紙用紙１の重ね合わせ面側に、見本写真や説明文からなる商品情報２８（カタログ用紙１８についてのみ図示）を表裏面に印刷した２枚のカタログ用紙１７，１８を、表表紙２と裏表紙３に対応させて互いの折り用ミシン目５，１９，２０が対応位置するように重ね合わせ、この折り用ミシン目５，１９，２０位置（仮想線Ｓ位置）においてステープル２６，２７止めしている。さらに、前記表紙用紙１と前記カタログ用紙１７の間には、返信用封筒用紙２１を挿入し、この返信用封筒用紙２１も各カタログ用紙１７，１８とともに前記表紙用紙１にステープル２６，２７止めして、カタログ冊子３１を構成している。
【００１２】
なお、カタログ用紙１７，１８は表表紙２と裏表紙３とを合わせた大きさとほぼ同一で、それぞれ折り用ミシン目１９，２０で２等分される。また、返信用封筒用紙２１は、図３に示すように、返信用封筒部２２と綴じ合わせ片２３とを切り用ミシン目２４を境に連接してなるものである。前記返信用封筒部２２は、封筒上紙２２ａと封筒下紙２２ｂと封緘片２２ｃとからなり（図５及び図６参照）、前記封筒上紙２２ａには、商品申込先の住所、名称を示す申込先情報２５をあらかじめ印刷している。なお、この申込先情報２５は、差出人情報８と実質的に同一内容である。
【００１３】
続いて、上述のように構成したカタログ冊子３１の作成方法を説明する。まず、表紙用紙１に、各カタログ冊子３１に共通する固定情報を印刷する。すなわち、前記表紙用紙１の表出面側には、裏表紙３に差出人情報８を印刷する一方、重ね合わせ面側には、申込書４に表題１１と申込商品情報記入部１２と申込者名記入欄１３と申込年月日記入欄１４とを印刷し、表表紙２に新商品案内情報１５を表題とともに印刷し、前記裏表紙３には買い得商品案内情報１６を表題とともに印刷する。次いで、前記表紙用紙１に各カタログ冊子３１毎に異なる可変情報を印字する。すなわち、前記表紙用紙１の表出面側には、前記表表紙２に宛名人情報７を印字し、前記申込書４には案内文９と宛名人表示１０を印字する。
【００１４】
そして、商品情報２８を印刷した２枚のカタログ用紙１７，１８を表紙用紙１の重ね合わせ面側に、表表紙２と裏表紙３に各折り用ミシン目５，１９，２０が対応位置するよう重ね合わせるとともに、返信用封筒用紙２１を前記表紙用紙１と前記カタログ用紙１７との間に、綴じ合わせ片２３が前記各折り用ミシン目５，１９，２０に対応するよう挿入し、この返信用封筒用紙２１と各カタログ用紙１７，１８を、前記各折り用ミシン目５，１９，２０位置、換言すると前記表表紙２と前記裏表紙３の境において前記表紙用紙１にステープル２６，２７止めして、カタログ冊子３１とするものである。
【００１５】
このようにして作成したカタログ冊子３１は、申込書４を折り兼切り用ミシン目６で裏表紙３の重ね合わせ面側に折り返して返信封筒用紙２１との間に重ね合わせたうえ、さらに折り用ミシン目５で重ね合わせ面側に二つ折りして、図６に示す状態とし、さらに、図７に示すように、窓開き封筒３２の窓３３に表表紙２の宛名人情報７が対応するように前記窓開き封筒３２に挿入して郵送するものである。
【００１６】
このカタログ冊子３１を受領した宛名人である商品購入希望者は、これを図４状態に見開き、カタログ用紙１７，１８の商品情報２８を見ながら、申込書４の申込商品記入部１２に自分の希望する商品の商品番号等を記入することができる。購入申し込みに必要な事項をすべて記入した後、商品購入希望者は折り兼切り用ミシン目６から申込書４を分離するとともに、返信用封筒部２２を切り用ミシン目２４から分離し、この返信用封筒部２２に前記申込書４を封入、封緘して、郵送することができる。前記返信用封筒部２２にはあらかあじめ郵送先の住所、名称を示す申込先情報２５が印刷されているので、封緘後には宛名を記入することなく投函することができるものである。また、前記申込書４は、返信用封筒部２２を使って郵送するほか、ファクシミリで送信することも可能である。
【００１７】
なお、本発明は上述した実施形態に限定されるものではなく、例えば、表紙用紙１に印刷で表示した各情報８，１５，１６や表題１１あるいは各記入部１２，１３，１４は印字で表示してもよい。また、返信用封筒用紙２１はカタログ用紙１８や表紙用紙１のいずれか一方に綴じ合わせてもよく、綴じ合わせ位置も折り用ミシン目５，１９，２０に対応する位置に限定されない。さらに、綴じ合わせ手段もステープルに限らず接着剤でもよい。またさらに、カタログ用紙１７，１８の枚数も２枚に限らない。
【００１８】
【発明の効果】
以上説明したところで明らかなように、本発明に係るカタログ冊子によれば、カタログ用紙の商品情報を見ながら申込書に購入希望商品を記入できるので、この記入作業を容易、かつ正確に行うことができ、また、申込書の大きさも折り畳み可能なので返信用封筒や往信時の窓開き封筒の大きさによる制約を受けることがなく、さらには、返信用封筒を使用した商品申込のほか、申込書をファクシミリ送信して商品申込を行うこともできるという効果を奏する。また、本発明に係るカタログ冊子の作成方法によれば、容易、かつ確実に上述のカタログ冊子を得られるという効果を奏する。
【図面の簡単な説明】
【図１】表紙用紙の表出面側の概略的な平面図。
【図２】表紙用紙の重ね合わせ面側の概略的な平面図。
【図３】返信用封筒用紙の平面図。
【図４】カタログ冊子の重ね合わせ面側の概略的な平面図。
【図５】カタログ冊子の断面図。
【図６】折り畳み状態のカタログ冊子の概略的な断面図。
【図７】折り畳み状態のカタログ冊子を窓開き封筒に封入した状態の概略的な平面図。
【符号の説明】
１      表紙用紙
２      表表紙
３      裏表紙
４      申込書
５，１９，２０      折り用ミシン目
６      折り兼切り用ミシン目
７      宛名人情報
８      差出人情報
９      案内文
１０      宛名人名
１２      申込商品情報記入部
１３      申込者名記入欄
１４      申込年月日記入欄
１５      新商品案内情報
１６      買い得商品案内情報
１７，１８      カタログ冊子
２１      返信用封筒用紙
２２      返信用封筒部
２３      綴じ合わせ片
２４      切り用ミシン目
２５      申込先情報
２６，２７      ステープル
３１      カタログ冊子
【図１】
2004291592.tif 000003
【図２】
2004291592.tif 000004
【図３】
2004291592.tif 000005
【図４】
2004291592.tif 000006
【図５】
2004291592.tif 000007
【図６】
2004291592.tif 000008
【図７】
2004291592.tif 000009